(57)【要約】【課題】  この考案は、ユーザ間の識別番号を関連づけて情報共有を行うサーバの登録システムの改良に関する。【解決手段】登録システムは、整理券を発行する発行ユーザ端末から発行ユーザの名前と、発行ユーザが設定した所定桁数以上の任意の数字からなる設定番号とを入力し、整理券番号の発行をサーバに要求し、得られた整理券番号と前記設定番号を受領ユーザが発行者名と共に入力することで、情報共有化するユーザ間の識別情報の関連づけを行うことができるようしたことを特徴とする。【選択図】  図４
0003136991.tif 000002
【実用新案登録請求の範囲】
【請求項１】
ユーザの端末から入力された情報を特定のユーザ間で情報の共有化を行うソーシャルネットワークシステム等の情報共有化システムでユーザ間の識別番号を関連づけて情報共有を行うサーバの登録システムにおいて、
整理券を発行するユーザの発行ユーザ端末から発行ユーザの名前と、発行ユーザが設定した所定桁数以上の任意の数字からなる設定番号とを入力し、整理券番号の発行をサーバに要求する整理券発行要求手段と、
サーバ側が発行する所定の桁数の数字からなる整理券番号と、該整理券番号発行を要求した発行ユーザの名前と、設定番号とを関連づけて記録する整理券発行記録手段と、
前記発行ユーザから整理券番号を知らされた受領ユーザ端末から、発行ユーザの名前と、整理券番号と、設定番号を入力して、発行ユーザの識別番号と受領ユーザの識別番号を関連づけて一方または双方の情報共有化を行うための登録をサーバに要求する登録要求手段と、
受領ユーザ端末から入力された発行ユーザの名前と、整理券番号と、設定番号とが、前記整理券発行記録手段に記録されたデータと一致するか否か判定し、一致した場合に情報共有化のために発行ユーザの識別番号と受領ユーザの識別番号とを関連づけて情報共有ユーザ記録手段に記録する登録手段とを有してなることを特徴とする登録システム。
【考案の詳細な説明】
【技術分野】
【０００１】
この考案は、ユーザの端末から入力された情報を特定のユーザ間で情報の共有化を行うソーシャルネットワークシステム等の情報共有化システムでユーザ間の識別番号を関連づけて情報共有を行うサーバの登録システムの改良に関する。
【背景技術】
【０００２】
情報共有化システムとして、ソーシャルネットワークサービスやメーリングサービスが知られているが、いずれもユーザを特定するためにメールアドレスを利用する等の単一の識別情報を用いてる。
そのためユーザ間で情報共有化のための登録をするには、ユーザの識別番号やメールアドレスなどのユーザの個人情報を相手方に知らせる必要があり、個人情報の流出が避けられなかった。
一方、特開２００３−１０８４９３号のサービス情報提供システムでは、ユーザがサービス提供者に実メールアドレスを知らせることなく、サービス提供者からサービス情報を電子メールによって受信することができるようになるサービス情報提供システムが提案されている。
このシステムでは、サービス提供者は、ユーザから通知された匿名メールアドレスを送信先メールアドレスとして、サービス情報を含む電子メールをプロバイダサーバに送信するステップ、ならびにプロバイダサーバは、サービス提供者から匿名メールアドレスを送信先メールアドレスとする電子メールを受信した場合には、当該匿名メールアドレスに対応する実メールアドレスに対して当該電子メールを転送するステップを備えている。
この場合、サーバはユーザに対して匿名メールアドレスを生成する必要があり、手続が繁雑となると共に、匿名メールアドレスを情報共有化のための識別情報として使用する場合は、その入力が繁雑となるという欠点もある。
【特許文献１】特開２００３−１０８４９３号
【考案の開示】
【考案が解決しようとする課題】
【０００３】
この考案は上記実情に鑑みてなされたもので、その主たる課題は、ユーザの識別情報その他の個人情報を用いずに、システムおよびユーザから一時的に付与される整理番号や設定番号を用いるという簡単な構成により特定のユーザ間で情報共有化のための登録を可能にした登録システムを提供することにある。
【課題を解決するための手段】
【０００４】
上記課題を解決するために、請求項１の考案では、
ユーザの端末から入力された情報を特定のユーザ間で情報の共有化を行うソーシャルネットワークシステム等の情報共有化システムでユーザ間の識別番号を関連づけて情報共有を行うサーバの登録システムにおいて、
整理券を発行するユーザの発行ユーザ端末から発行ユーザの名前と、発行ユーザが設定した所定桁数以上の任意の数字からなる設定番号とを入力し、整理券番号の発行をサーバに要求する整理券発行要求手段と、
サーバ側が発行する所定の桁数の数字からなる整理券番号と、該整理券番号発行を要求した発行ユーザの名前と、設定番号とを関連づけて記録する整理券発行記録手段と、
前記発行ユーザから整理券番号を知らされた受領ユーザ端末から、発行ユーザの名前と、整理券番号と、設定番号を入力して、発行ユーザの識別番号と受領ユーザの識別番号を関連づけて一方または双方の情報共有化を行うための登録をサーバに要求する登録要求手段と、
受領ユーザ端末から入力された発行ユーザの名前と、整理券番号と、設定番号とが、前記整理券発行記録手段に記録されたデータと一致するか否か判定し、一致した場合に情報共有化のために発行ユーザの識別番号と受領ユーザの識別番号とを関連づけて情報共有ユーザ記録手段に記録する登録手段とを有してなることを特徴とする。
【考案の効果】
【０００５】
この考案は上記のように、サーバが発行する所定桁数の数字からなる整理券番号と、ユーザが設定した任意の数字からなる設定番号をワンタイムパスワードのように用いることで、発行ユーザの個人情報が受領ユーザに流出することなく、サーバにより情報共有化のために発行ユーザの識別番号と受領ユーザの識別番号を関連づけて情報共有ユーザとして登録することができる。
また、受領ユーザは、整理券番号および設定番号として数字の入力を行うだけでよいので、受領ユーザ端末として携帯電話を利用する場合であっても、容易に入力することができる。
また、識別番号やメールＩＤなどを用いなくても、システムが発行する整理券番号と、ユーザが任意に設定する設定番号との組合せを用いるので、ユーザを特定する番号として重複の可能性が極めて低く、更に受領ユーザと発行ユーザはそれぞれの名前を確認することができるので、誤ってユーザを特定する惧れもない。
更に、前記整理券番号や設定番号は、情報共有ユーザとして登録をするたびに設定すればよく、登録後には不要となるので、上記番号管理を容易に行うことができる。
このシステムは、特に情報共有したい相手と会っている場合に、簡単に登録できるので極めて有効である。
【考案を実施するための最良の形態】
【０００６】
以下に、この考案の情報共有化システムでの登録システムの実施の形態を図面を参照しながら説明する。
【実施例１】
【０００７】
情報共有化システムとしては、公知のソーシャルネットワークサービスやメーリングサービスが用いられる。
この情報共有化システムでは、サーバは、ユーザが入力した情報に識別番号を関連づけて記録手段に記録しており、情報共有化に際しては、ユーザ同士の識別番号を関連づけて記録し、前記ユーザが入力した情報の共有化を図っている。
このような情報共有化のためのユーザ間の登録に際しては、ユーザを特定するために識別番号やメールアドレスなどの個人情報を用いない点にこの考案の特徴がある。
即ち、ユーザ間で情報共有化のための登録を行うには、発行ユーザが発行ユーザ端末から識別情報を入力して情報共有化システム内の登録画面にログインする。
登録画面では、図１に示す仲間整理券要求画面１が表示される。
この画面１では、発行者名欄１ａと、設定番号欄１ｂと、操作欄１ｃが表示されている。
【０００８】
発行者名欄１ａは、情報共有を許諾する相手方（受領ユーザ）に確認用として用いるものであり、入力は省略できない構成となっている。
発行ユーザは、実名でもよいが、ニックネームやハンドルネームあるいは、受領ユーザ登録用に１回だけ用いる仮ネームなどを入力することができる。
図示例では、発行ユーザ端末から「発行王様」と入力する（図２参照）。
【０００９】
設定番号欄１ｂは、前記情報共有を許諾する受領ユーザ用に発行ユーザが設定した任意の数字であり、本実施例では４桁以上の数字であり、入力は省略できない構成となっている。
図示例では、発行ユーザ端末から「１２４５７８」と入力する（図２参照）。
次に、発行ユーザ端末から操作欄１ｃの「実行」ボタンのアイコンをクリックし発行者名データと、設定番号データとが発行ユーザの識別番号に関連づけられてサーバに送信される。
【００１０】
サーバでは、整理券発行手段により、カウント手段により順番に、あるいは乱数発生手段から得られた所定桁数の数字、図示例では４桁の数字「１０２４」を整理券番号として発行する。
これにより、発行者名データと、設定番号データと、整理券番号データとが発行ユーザの識別番号に関連づけられて整理券発行記録手段Ｍ１に記録される。
【００１１】
サーバから整理券番号が発行されると、発行ユーザ端末では、前記仲間整理券要求画面１から仲間整理券発行画面２に進む。
仲間整理券発行画面２では、「発行しました。」との表示が表れ、発行者名欄２ａと、整理券番号欄２ｂと、設定番号欄２ｃと、操作欄２ｄとが表示される。
そして、前記入力された情報が各欄に表示され、また発行された整理券番号「１０２４」が表示される。
また、操作欄２ｄには、「交換」ボタンが表示される。
【００１２】
発行ユーザは、得られた整理券番号と、設定番号と、発行者名とを受領ユーザに口頭などで知らせる。
上記整理券番号と、設定番号と、発行者名とを知った受領ユーザは、受領ユーザ端末から、受領ユーザの識別情報を入力して情報共有化システム内の登録画面にログインする。
登録画面では、図３に示す仲間整理券実行要求画面３が表示される。
この画面３では、実行者名欄３ａと、整理券番号欄３ｂと、設定番号欄３ｃと、操作欄３ｄが表示されている。
【００１３】
発行者名欄３ａは、情報共有を許諾する者（発行ユーザ）に確認用として用いるものであり、入力は省略できない構成となっている。
その他の番号欄３ｂ、３ｃも入力は省略できない。
操作欄３ｄには「実行」ボタンのアイコンが表示されている。
【００１４】
実行者名欄３ａは、実名でもよいが、ニックネームやハンドルネームあるいは、発行ユーザ登録用に１回だけ用いる仮ネームなどを入力することができる。
図示例では、受領ユーザ端末から「実行王様」と入力する（図６参照）。
その他、、整理券番号欄３ｂには「１０２４」と入力し、設定番号欄３ｃには「１２４５７８」と入力して、操作欄３ｄの「実行」ボタンをクリックする。
【００１５】
これにより、実行者名データと、整理券データと、設定番号データとがサーバに送信され、サーバでは上記入力データを、前記整理券発行記録手段Ｍ１のデータと比較し、一致するか否か判定する。
一致した場合には、受領ユーザ端末の画面３は、図４に示す仲間整理券実行結果画面４に進む。
【００１６】
この画面４では、「この整理券は実行できます。」の表示が表れ、整理券実行結果欄として、発行者名欄４ａと、整理券番号欄４ｂと、設定番号欄４ｃと、操作欄４ｄが表示されており、前記整理券発行記録手段Ｍ１から抽出されたデータが表示される。
【００１７】
図示例の場合、発行者名欄４ａには「発行王様」、整理券番号欄４ｂには「１０２４」、設定番号欄４ｃには「１２４５７８」と表示される。
操作欄４ｄには、「仲間登録実行」ボタンのアイコンが表示される。
そこで、受領ユーザは、上記画面から発行ユーザの発行者名を確認し、また整理番号、設定番号の確認を行う。
【００１８】
いずれかが不一致の場合には、再度、入力をやり直す。
あるいは発行ユーザから新しい整理番号を発行してもらい、入力をやり直す。
このようにして受領ユーザの確認ができると、受領ユーザ端末から「仲間登録実行」ボタンをクリックする。
【００１９】
サーバは、受領ユーザ端末から「仲間登録実行」ボタンの入力を受け付けると、前記発行ユーザの識別番号と受領ユーザの識別番号を関連づけて情報共有ユーザ記録手段Ｍ２に記録する。
記録が完了すると、受領ユーザ端末では仲間整理券実行結果画面４から仲間管理画面５に進む。
【００２０】
仲間管理画面５は、発行ユーザと既に情報共有化しているユーザの一覧データ５ａが表示される。
図示例では、発行ユーザの他に２名のユーザが情報共有化ユーザとして既に登録されていることが表示されている。
【００２１】
受領ユーザは、登録に際して、受領ユーザ端末から画面５内の「確認」ボタン５ｂのアイコンをクリックすることで、上記仲間一覧に記録されるデータのサーバへの登録が行われる。
【００２２】
上記「確認」ボタン５ｂをクリックされると、発行ユーザ端末では整理券交換結果画面６が表示される。
この画面６では、「仲間整理券交換結果」、「この整理券は交換できました。」の表示があらわれ、整理券交換結果欄に、交換者名欄６ａ、整理券番号欄６ｂ、設定番号欄６ｃが表示される。
【００２３】
そして、前記受領ユーザ端末から仲間整理券実行要求画面３に入力された実行者名データが交換者名欄６ａに表示され、図示例では「実行王様」と表示される。
同様に、整理券番号欄６ｂには「１０２４」、設定番号欄６ｃには「１２４５７８」が表示されるので、発行ユーザは、上記表示から受領ユーザが情報共有化の仲間として登録されたことを確認することができる。
【００２４】
上記実施例では、発行ユーザと受領ユーザが、予め情報共有化システムのメンバーとなっておりサーバに識別番号が登録されている場合を説明したが、受領ユーザは予め情報共有化システムのメンバーでなくてもよい。
その場合は、仲間登録の完了時に、同時に情報共有化システムのメンバーとして登録され識別番号が付与されるために必要なデータが同時に入力されるようになっていればよい。
その他、この考案は、上記実施例に限定されるものではなく、要するにこの考案の要旨を変更しない範囲で種々設計変更しうる。
【図面の簡単な説明】
【００２５】
【図１】仲間整理券要求画面を示す図である。
【図２】仲間整理券発行画面を示す図である。
【図３】仲間整理券実行要求画面を示す図である。
【図４】仲間整理券実行結果画面を示す図である。
【図５】仲間管理画面を示す図である。
【図６】整理券交換結果画面を示す図である。
【図７】登録システムのブロック図である。
【符号の説明】
【００２６】
１    仲間整理券要求画面
２    仲間整理券発行画面
３    仲間整理券実行要求画面
４    仲間整理券実行結果画面
５    仲間管理画面
６    整理券交換結果画面
Ｍ１  整理券発行記録手段
Ｍ２  情報共有ユーザ記録手段
【図１】
0003136991.tif 000003
【図２】
0003136991.tif 000004
【図３】
0003136991.tif 000005
【図４】
0003136991.tif 000006
【図５】
0003136991.tif 000007
【図６】
0003136991.tif 000008
【図７】
0003136991.tif 000009